(57)【要約】【構成】  携帯端末１０は、カメラ機能とセキュリティロック機能とを有する。カメラ機能は、９つのＡＦ候補領域のそれぞれに対して求めたフォーカス評価値に基づいて優先順位を設定し、オートフォーカス処理を行う。セキュリティロック機能は、ＡＦ設定識別子記憶領域３２ａに、上位３位までのＡＦ候補領域の識別子（Ｆ１〜Ｆ９）およびそれぞれに対応する優先順位を記憶させる。そして、新たに撮像した画像とＡＦ設定識別子記憶領域３２ａに記憶されたＡＦ候補領域の識別子（Ｆ１〜Ｆ９）およびそれぞれに対応する優先順位が一致すれば、セキュリティロック機能による携帯端末１０が有する一部の機能の制限を解除する。【効果】  セキュリティロック機能による携帯端末１０が有する一部の機能の制限の解除に、画像データのＡＦ候補領域の識別子（Ｆ１〜Ｆ９）およびそれぞれに対応する優先順位を用いる。【選択図】  図１
2009059188.tif 000002
【特許請求の範囲】
【請求項１】
撮像された画像に対して、複数の領域にそれぞれ対応する複数のフォーカス評価値を演算するフォーカス評価値演算手段、
前記複数の領域のそれぞれに対応するフォーカス評価値に基づいて、前記複数の領域をそれぞれ識別する複数の識別子のうち少なくとも１つを設定識別子として記憶する記憶手段、
新たに撮像された画像に対して、前記フォーカス評価値演算手段によって演算した新たなフォーカス評価値に基づいて、前記複数の領域をそれぞれ識別する前記複数の識別子のうち少なくとも１つを取得識別子として特定する特定手段、
前記取得識別子を前記設定識別子と照合する照合手段、および
前記照合手段による照合結果に応じて使用制限を解除する解除手段を備える、携帯端末。
【請求項２】
前記記憶手段は、前記複数の領域のそれぞれに対応する前記フォーカス評価値の大小関係に基づいて前記設定識別子を記憶する、
前記特定手段は、前記新たに撮像された画像の前記複数の領域のそれぞれに対応する前記新たなフォーカス評価値の大小関係に基づいて前記取得識別子を特定する、請求項１記載の携帯端末。
【請求項３】
前記記憶手段は、前記設定識別子を前記複数の領域のそれぞれに対応する前記フォーカス評価値が大きい順番に記憶する、
前記特定手段は、前記取得識別子を前記新たに撮像された画像の前記複数の領域のそれぞれに対応する前記新たなフォーカス評価値が大きい順番に特定する、請求項２記載の携帯端末。
【請求項４】
前記記憶手段は、前記複数の領域をそれぞれ識別する複数の識別子を所定数だけ前記設定識別子として記憶する、
前記特定手段は、前記新たに撮像された画像の前記複数の領域をそれぞれ識別する複数の識別子を所定数だけ前記取得識別子として特定する、請求項１ないし３のいずれかに記載の携帯端末。
【請求項５】
撮像された画像に対して、複数の領域にそれぞれ対応する複数のフォーカス評価値を演算して、前記複数の領域のそれぞれに対応するフォーカス評価値に基づいて、前記複数の領域をそれぞれ識別する複数の識別子のうち少なくとも１つを設定識別子として記憶し、
新たに撮像された画像に対して、複数の領域にそれぞれ対応する複数の新たなフォーカス評価値を演算して、前記複数の領域のそれぞれに対応する新たなフォーカス評価値に基づいて、前記複数の領域をそれぞれ識別する複数の識別子のうち少なくとも１つを取得識別子として特定し、
前記取得識別子を前記設定識別子と照合し、そして
照合結果に応じて使用制限を解除する、携帯端末のセキュリティ制御方法。
【発明の詳細な説明】
【技術分野】
【０００１】
この発明は、携帯端末に関し、特にたとえばオートフォーカス処理が可能なカメラ機能を有する、携帯端末に関する。
【背景技術】
【０００２】
この種の装置の一例が、特許文献１に開示されている。この背景技術によれば、情報表示装置はデジタルカメラを備え、当該デジタルカメラにて撮影された被写体の画像をシークレットキー画像として登録する。また、シークレットキー画像は、情報表示装置に保存されているシークレット情報と対応付けられる。そして、シークレット情報は、シークレットキー画像として撮影された被写体を再び撮影し、再び撮影した画像とシークレットキー画像とを照合して一致する場合に、シークレットを解除して情報表示装置に表示される。
【特許文献１】特開２００１−１９５１４６号公報［G06F 1/00, G06F 3/00, G06F 12/14, G06F 17/30, G06T 7/00］
【発明の開示】
【発明が解決しようとする課題】
【０００３】
しかし、背景技術では、シークレットを解除するために、シークレットキー画像の撮影に用いた被写体を再び撮影する必要が有る。そのため、どこでも同一の被写体が在るとは限らないので、シークレットを解除できないことが有る。したがって、使用者は、任意の場所でシークレットを解除するためには、情報表示装置およびシークレットキー画像として撮影された被写体を同時に携帯しなければならないという問題がある。
【０００４】
それゆえに、この発明の主たる目的は、新規な、携帯端末を提供することである。
【０００５】
この発明の他の目的は、パスワードの秘密性が高く、セキュリティ解除が容易な、携帯端末を提供することである。
【課題を解決するための手段】
【０００６】
この発明は、上記の課題を解決するために、以下の構成を採用した。なお、括弧内の参照符号および補足説明等は、この発明の理解を助けるために記述する実施形態との対応関係を示したものであって、この発明を何ら限定するものではない。
【０００７】
第１の発明は、撮像された画像に対して、複数の領域にそれぞれ対応する複数のフォーカス評価値を演算するフォーカス評価値演算手段、複数の領域のそれぞれに対応するフォーカス評価値に基づいて、複数の領域をそれぞれ識別する複数の識別子のうち少なくとも１つを設定識別子として記憶する記憶手段、新たに撮像された画像に対して、フォーカス評価値演算手段によって演算した新たなフォーカス評価値に基づいて、複数の領域をそれぞれ識別する複数の識別子のうち少なくとも１つを取得識別子として特定する特定手段、取得識別子を設定識別子と照合する照合手段、および照合手段による照合結果に応じて使用制限を解除する解除手段を備える、携帯端末である。
【０００８】
第１の発明では、携帯端末（１０：実施例で相当する部分を例示する参照符号。以下同じ）は、フォーカス評価値演算手段（５０，Ｓ１１，Ｓ３７）は、撮像された画像に対して、複数の領域にそれぞれ対応する複数のフォーカス評価値を演算する。記憶手段（２０，３２，３２ａ，Ｓ１３，Ｓ１５）は、複数の領域のそれぞれに対応するフォーカス評価値に基づいて、複数の領域をそれぞれ識別する複数の識別子（ＡＦ候補領域Ｆ１〜ＡＦ候補領域Ｆ９）のうち少なくとも１つを設定識別子として記憶する。特定手段（２０，Ｓ３９）は、新たに撮像された画像に対して、フォーカス評価値演算手段によって演算した新たなフォーカス評価値に基づいて、複数の領域をそれぞれ識別する複数の識別子のうち少なくとも１つを取得識別子として特定する。照合手段（２０，Ｓ４１）は、取得識別子を設定識別子と照合する。解除手段（２０，Ｓ２５）は、照合手段による照合結果に応じて使用制限を解除する。
【０００９】
たとえば、複数の領域が９つの領域である場合に、複数のフォーカス評価値および複数の識別子は、それぞれ９つのフォーカス評価値および９つの識別子となる。９つの領域のそれぞれに対応するフォーカス評価値は、撮像された画像に写る被写体の位置、すなわち、画像の構図をあらわす。したがって、記憶手段は、複数の領域をそれぞれ識別する複数の識別子のうち少なくとも１つを複数の領域のそれぞれに対応するフォーカス評価値を設定識別子として記憶することで、画像の構図を設定識別子として記憶することができる。
【００１０】
また、新たに撮像された画像に写る被写体と、記憶手段に記憶された設定識別子を求めたときの画像に写る被写体とが異なっていても、それぞれの画像の構図が一致していれば、設定識別子と取得識別子との照合結果が一致する。これによって、照合手段の照合結果が肯定的となるため、解除手段は使用制限を解除する。
【００１１】
第１の発明によれば、画像の構図を設定識別子として記憶することができるため、設定識別子は、当該画像の構図を決めた使用者のみしか知りえない情報となる。たとえば、使用者以外の人間は、使用者が画像の構図を決めるときに用いた被写体を知ったとしても、使用者が決めた画像の構図を知ることはできない。したがって、設定識別子は、高度な秘密性が有る。
【００１２】
また、新たに撮像された画像に写る被写体と、記憶手段に設定識別子を記憶させたときの画像に写る被写体とが異なっていても、それぞれの画像の構図が一致していれば、照合手段の照合結果が肯定的となるため、使用者は、記憶手段に記憶された識別子の大小関係を求めたときの画像の構図を再現することが出来れば、様々な場所で携帯端末の使用制限を解除できる。これによって、設定識別子の秘密性が高く、携帯端末の使用制限の解除が容易になる。
【００１３】
第２の発明は、第１の発明に従属し、記憶手段は、複数の領域のそれぞれに対応するフォーカス評価値の大小関係に基づいて設定識別子を記憶する、特定手段は、新たに撮像された画像の複数の領域のそれぞれに対応する新たなフォーカス評価値の大小関係に基づいて取得識別子を特定する、携帯端末である。
【００１４】
第２の発明では、記憶手段（２０，３２，３２ａ，Ｓ１３，Ｓ１５）は、複数の領域のそれぞれに対応するフォーカス評価値の大小関係に基づいて設定識別子を記憶するため、それぞれの識別子と対応するフォーカス評価値が、任意の閾値よりも大きいと判定された識別子を設定識別子として記憶してもよいし、それぞれの識別子と対応するフォーカス評価値が、大きい順番に識別子を設定識別子として記憶してもよい。特定手段（２０，Ｓ３９）は、新たに撮像された画像の複数の領域のそれぞれに対応する新たなフォーカス評価値の大小関係に基づいて取得識別子を特定するため、それぞれの識別子と対応する新たなフォーカス評価値が、任意の閾値よりも大きいと判定された識別子を取得識別子として特定してもよいし、それぞれの識別子と対応する新たなフォーカス評価値が、大きい順番に識別子を取得識別子として特定してもよい。これによって、照合手段（２０，Ｓ４１）は、取得識別子の組み合わせを設定識別子の組み合わせと照合してもよいし、取得識別子の順列を設定識別子の順列と照合してもよい。
【００１５】
第２の発明によれば、照合手段は、記憶された識別子の順列と新たに撮像された画像に関する識別子の大小関係に基づいて照合するため、新たに撮像する画像の構図を決めるときには、記憶手段に記憶された識別子の大小関係を考慮して再現する必要が有る。つまり、使用者のみしか知りえない情報が増えるため、第１の発明に対して、設定識別子の秘密性を向上させることができる。
【００１６】
第３の発明は、第２の発明に従属し、記憶手段は、設定識別子を複数の領域のそれぞれに対応するフォーカス評価値が大きい順番に記憶する、特定手段は、取得識別子を新たに撮像された画像の複数の領域のそれぞれに対応する新たなフォーカス評価値が大きい順番に特定する、携帯端末である。
【００１７】
第３の発明では、記憶手段（２０，３２，３２ａ，Ｓ１３，Ｓ１５）は、設定識別子を複数の領域のそれぞれに対応するフォーカス評価値が大きい順番に記憶するため、それぞれの識別子と対応するフォーカス評価値が、大きい順番に識別子を設定識別子として記憶する。特定手段（２０，Ｓ３９）は、取得識別子を新たに撮像された画像の複数の領域のそれぞれに対応する新たなフォーカス評価値が大きい順番に特定するため、それぞれの識別子と対応する新たなフォーカス評価値が、大きい順番に識別子を取得識別子として特定する。これによって、照合手段（２０，Ｓ４１）は、取得識別子の順列を設定識別子の順列と照合する。
【００１８】
第３の発明によれば、記憶された識別子の順列と新たに撮像された画像に関する識別子の順列とを照合するため、新たに撮像した画像の構図を決めるときには、記憶手段に記憶された識別子と同じ順番になるように画像の構図を正確に再現する必要が有る。つまり、使用者のみしか知りえない情報がさらに増えるため、第２の発明に対して設定識別子の秘密性を向上させることができる。
【００１９】
第４の発明は、第１ないしは第３の発明のいずれかに従属し、記憶手段は、複数の領域をそれぞれ識別する複数の識別子を所定数だけ設定識別子として記憶する、特定手段は、新たに撮像された画像の複数の領域をそれぞれ識別する複数の識別子を所定数だけ取得識別子として特定する、携帯端末である。
【００２０】
第４の発明では、記憶手段（２０，３２，３２ａ，Ｓ１３，Ｓ１５）は、複数の領域をそれぞれ識別する複数の識別子を所定数だけ設定識別子として記憶する。特定手段（２０，Ｓ３９）は、新たに撮像された画像の複数の領域をそれぞれ識別する複数の識別子を所定数だけ取得識別子として特定する。
【００２１】
たとえば、所定数を「３」とする場合に、記憶手段は３つの識別子だけを記憶するようになり、特定手段は３つの識別子だけを特定するようになる。これによって、照合手段（２０，Ｓ４１）は、３つの識別子から成る取得識別子の組み合わせと、３つの識別子から成る設定識別子の組み合わせとを照合してもよいし、３つの識別子から成る取得識別子の順列と、３つの識別子から成る設定識別子の順列とを照合してもよい。
【００２２】
第４の発明によれば、照合手段の照合結果を肯定的にするためには、所定数の識別子から成る取得識別子と、所定数の識別子から成る設定識別子とが一致していればよい。したがって、新たに撮像された画像の構図と、記憶手段に記憶された識別子の大小関係を求めたときの画像の構図とを似せることが容易になるため、携帯端末の使用制限の解除がより容易になる。
【００２３】
第５の発明は、撮像された画像に対して、複数の領域にそれぞれ対応する複数のフォーカス評価値を演算して、複数の領域のそれぞれに対応するフォーカス評価値に基づいて、複数の領域をそれぞれ識別する複数の識別子のうち少なくとも１つを設定識別子として記憶し、新たに撮像された画像に対して、複数の領域にそれぞれ対応する複数の新たなフォーカス評価値を演算して、複数の領域のそれぞれに対応する新たなフォーカス評価値に基づいて、複数の領域をそれぞれ識別する複数の識別子のうち少なくとも１つを取得識別子として特定し、取得識別子を設定識別子と照合し、そして照合結果に応じて使用制限を解除する、携帯端末のセキュリティ制御方法である。
【００２４】
第５の発明によれば、撮像された画像に対して、複数の領域にそれぞれ対応する複数のフォーカス評価値を演算（Ｓ１１）して、複数の領域のそれぞれに対応するフォーカス評価値に基づいて、複数の領域をそれぞれ識別する複数の識別子（ＡＦ候補領域Ｆ１〜ＡＦ候補領域Ｆ９）のうち少なくとも１つを設定識別子として記憶（Ｓ１３，Ｓ１５）する。新たに撮像された画像に対して、複数の領域にそれぞれ対応する複数の新たなフォーカス評価値を演算（Ｓ３７）して、複数の領域のそれぞれに対応する新たなフォーカス評価値に基づいて、複数の領域をそれぞれ識別する複数の識別子（ＡＦ候補領域Ｆ１〜ＡＦ候補領域Ｆ９）のうち少なくとも１つを取得識別子として特定（Ｓ３９）する。取得識別子を設定識別子と照合（Ｓ４１）する。そして、照合結果に応じて使用制限を解除（Ｓ２５）することで、携帯端末のセキュリティ制御をする。
【００２５】
第５の発明によれば、設定識別子の秘密性が高く、携帯端末の使用制限の解除が容易な携帯端末のセキュリティ制御を行うことができる。
【発明の効果】
【００２６】
この発明によれば、携帯端末の使用制限の解除に、画像の構図を用いるため、設定識別子の秘密性が高く、しかも携帯端末の使用制限の解除が容易である。
【００２７】
この発明の上述の目的、その他の目的、特徴および利点は、図面を参照して行う以下の実施例の詳細な説明から一層明らかとなろう。
【発明を実施するための最良の形態】
【００２８】
図１を参照して、携帯端末１０は、キー入力装置４２を含む。キー入力装置４２によって発呼操作が行われると、ＣＰＵ２０は、ＣＤＭＡ方式に対応する無線通信回路１４を制御して発呼信号を出力する。出力された発呼信号は、アンテナ１２から送出され、基地局を含む移動通信網を経て通話相手の電話機に送信される。通話相手が着呼操作を行うと、通話可能状態が確立される。
【００２９】
通話可能状態に移行した後にキー入力装置４２によって通話終了操作が行われると、ＣＰＵ２０は、無線通信回路１４を制御して、通話相手に通話終了信号を送信する。通話終了信号の送信後、ＣＰＵ２０は、通話処理を終了する。先に通話相手から通話終了信号を受信した場合も、ＣＰＵ２０は、通話処理を終了する。また、通話相手によらず、移動通信網から通話終了信号を受信した場合も、ＣＰＵ２０は通話処理を終了する。
【００３０】
システム全体が起動している状態で通話相手からの発呼信号がアンテナ１２によって捉えられると、無線通信回路１４は、着信をＣＰＵ２０に通知する。ＣＰＵ２０は、着信通知に記述された発信元情報をＬＣＤモニタ３６から出力し、図示しない着信通知用のスピーカから着信音を出力する。キー入力装置４２によって着呼操作が行われると、通話可能状態が確立される。
【００３１】
通話可能状態では、次のような処理が実行される。通話相手から送られてきた変調音声信号（高周波信号）は、アンテナ１２によって捉えられる。捉えられた変調音声信号は、無線通信回路１４によって復調処理および復号処理を施される。これによって得られた受話音声信号は、スピーカ１８から出力される。
【００３２】
マイクロフォン１６によって取り込まれた送話音声信号は、無線通信回路１４によって符号化処理および変調処理を施される。これによって生成された変調音声信号は、上述と同様、アンテナ１２を利用して通話相手に送信される。
【００３３】
また、携帯端末１０は複数の機能を有し、複数の機能には、カメラ機能およびセキュリティロック機能などが含まれる。カメラ機能は、オートフォーカス処理によって、被写体にピントの合った画像データを記録する。具体的には、ＣＰＵ２０は、レンズドライバ２８およびイメージセンサドライバ３０にカメラ機能を実行するために必要な命令を与え、フォーカスレンズ２２およびイメージセンサ２４を制御する。そして、カメラ処理回路２６によって披写界の光学像を画像データに変換する。そして、ＣＰＵ２０は、画像データをオートフォーカス処理によって被写体にピントを合わせる。オートフォーカス処理では、撮像面を均等な大きさに９つのＡＦ候補領域を設定する。また、本実施例では、９つのＡＦ候補領域を識別するための識別子として、Ｆ１〜Ｆ９をそれぞれのＡＦ候補領域に設定し、ＡＦ候補領域Ｆ１〜ＡＦ候補領域Ｆ９を特定せずにＡＦ候補領域Ｆということがある。さらに、ＣＰＵ２０は、１つのＡＦ候補領域Ｆに写る被写体にピントを合わせた画像データを圧縮画像データに変換してフラッシュメモリ３２に記録する。
【００３４】
セキュリティロック機能では、識別子を用いることで、携帯端末１０が有する一部の機能（カメラ機能およびセキュリティロック機能を除く）を制限する。たとえば、或る画像のＡＦ候補領域を識別するための識別子のうち少なくとも１つをＡＦ設定識別子として記憶する。そして、新たに撮影（取得）された画像のＡＦ候補領域を識別するための識別子のうち少なくとも１つをＡＦ取得識別子として特定する。そして、特定されたＡＦ取得識別子を記憶されたＡＦ設定識別子と照合し、一致していれば携帯端末１０が有する一部の機能（カメラ機能およびセキュリティロック機能を除く）の制限の解除をする。具体的には、ＣＰＵ２０は、識別子記憶処理によってＡＦ設定識別子を記憶する。さらに、ＣＰＵ２０は、セキュリティロック処理によって携帯端末１０が有する一部の機能を制限したり、特定されたＡＦ取得識別子を記憶されたＡＦ設定識別子と照合することで、携帯端末１０が有する一部の機能の制限を解除したりする。なお、識別子には、符号列，文字列，記号列，符号の集合，文字の集合および符号の集合などが含まれる。
【００３５】
図１，図２および図３を参照して、カメラ機能について、より具体的に説明する。まず、図１を参照して、披写界の光学像は、フォーカスレンズ２２を経てイメージセンサ２４の撮像面に照射される。ＣＰＵ２０は、キー入力装置４２によってカメラ機能が実行されると、カメラ設定が初期化される。具体的には、ＣＰＵ２０は、カメラ設定をフラッシュメモリ３２から読み出す。読み出したカメラ設定は、ＣＰＵ２０によってメモリコントローラ３８を通してＲＡＭ４０に書き込まれる。ここで、カメラ設定には、表示様式および表示位置が含まれる。表示様式は、撮像面の読み出し領域を規定する、水平画素数および垂直画素数によって定義される。読み出し領域は、イメージセンサ２４の撮像面から電荷を読み出すことが可能な領域を指す。ここで、表示様式の初期値は水平２４０画素×垂直３２０画素とする。
【００３６】
カメラ機能は、カメラ設定が初期化されると撮像タスクを起動させ、撮像タスクが起動されると、被写界のリアルタイム動画像（以下、スルー画像という）をＬＣＤモニタ３６に表示させる処理を行う。具体的には、ＣＰＵ２０は、ＲＡＭ４０に格納されたカメラ設定の表示様式からアスペクト比を算出し、算出されたアスペクト比から読み出し領域を指定し、イメージセンサドライバ３０を起動させる。そして、ＣＰＵ２０は、露光動作および指定された読み出し領域に対応する電荷読み出し動作をイメージセンサドライバ３０に命令する。
【００３７】
イメージセンサドライバ３０は、イメージセンサ２４の撮像面の露光と当該露光によって生成された電荷の読み出しとを実行する。この結果、水平２４０×垂直３２０の画素を有する生画像信号が、イメージセンサ２４から出力される。
【００３８】
ここで、図２を参照して、カメラ処理回路２６は、ＣＤＳ／ＡＧＣ／ＡＤ回路４４を含む。イメージセンサ２４から出力された生画像信号は、ＣＤＳ／ＡＧＣ／ＡＤ回路４４によって、相関二重サンプリング，自動ゲイン調整およびＡ／Ｄ変換の一連の処理を施される。信号処理回路４６は、ＣＤＳ／ＡＧＣ／ＡＤ回路４４から出力された生画像データに色分離，白バランス調整，ＹＵＶ変換などの処理を施しＹＵＶ形式の画像データを生成する。
【００３９】
輝度評価回路４８は、ＹＵＶ形式の画像データを形成するＹデータに基づいて被写界の輝度（明るさ）を評価し、評価結果つまり輝度評価値をＣＰＵ２０に与える。フォーカス評価回路５０は、ＹＵＶ形式の画像データを形成するＹデータの高周波成分を一定の時間間隔で積分し、積分値つまりフォーカス評価値をＣＰＵ２０に与える。ここで、一定時の時間間隔とは１／３０秒毎とする。さらに、フォーカス評価回路５０は、キー入力装置４２に含まれるＡＦボタンが操作されたときに有効化する。そして、ＣＰＵ２０は、フォーカス評価値，輝度評価値およびＹＵＶ形式の画像データを出力される。
【００４０】
図１に戻って、ＹＵＶ形式の画像データは、ＣＰＵ２０によってメモリコントローラ３８を介してＲＡＭ４０に一旦格納される。１フレームに対応するＹＵＶ形式の画像データがＲＡＭ４０に格納されると、格納されたＹＵＶ形式の画像データは、ＣＰＵ２０およびメモリコントローラ３８を介して、ＲＡＭ４０からＬＣＤドライバ３４に与えられる。また同時に、ＣＰＵ２０は、ＲＡＭ４０に格納されたカメラ設定の表示位置に対応する間引き読み出し命令をＬＣＤドライバ３４に発行する。ＬＣＤドライバ３４は、ＣＰＵ２０から発行された間引き読み出し命令に従ってＹＵＶ形式の画像データをＬＣＤモニタ３６に出力する。よって、被写界を表す低解像度のスルー画像がＬＣＤモニタ３６に再現される。
【００４１】
キー入力装置４２に含まれるＡＦボタンが操作され、さらに、撮像ボタンが操作されるとオートフォーカス処理および撮像処理が実行される。つまり、ＣＰＵ２０は、イメージセンサドライバ２４に読み出し命令を発行し、水平２４０×垂直３２０の画素を有する生画像信号に基づくＹＵＶ形式の画像データを得る。さらに、ＣＰＵ２０は、オートフォーカス処理を行うことで、レンズドライバ２８にフォーカスレンズ２２を移動させ、被写体にピントが合うようにする。そして、被写体にピントが合った水平２４０×垂直３２０の画素を有する生画像信号に基づくＹＵＶ形式の画像データがＲＡＭ４０に格納される。
【００４２】
ここで、図１，図２および図３を参照して、オートフォーカス処理では、先述した通り、撮像面を均等な大きさに９つのＡＦ候補領域Ｆを設定する。そして、ＣＰＵ２０は、各ＡＦ候補領域Ｆに対して、フォーカス評価値の最大値を算出する。また、フォーカス評価値は、フォーカスレンズ２２とイメージセンサ２４との位置の変化に応じて変化する。
【００４３】
そして、オートフォーカス処理を行うべきＡＦ候補領域Ｆを絞り込むための閾値と、各ＡＦ候補領域Ｆのフォーカス評価値の最大値とを比較する。ここで、閾値以上のフォーカス評価値の最大値が算出されたＡＦ候補領域Ｆは、フォーカス評価値の最大値が大きい順番に優先順位が設定される。
【００４４】
これによって、優先順位が１位、すなわち、フォーカス評価値の最大値が一番大きいＡＦ候補領域Ｆに対して、ＣＰＵ２０は、当該ＡＦ候補領域Ｆのフォーカス評価値が最大値になるようにレンズドライバ２８を制御し、フォーカスレンズ２２を移動させる。
【００４５】
図１に戻って、撮像操作に応じて作成されたＹＵＶ形式の画像データがＲＡＭ４０に格納されると、ＣＰＵ２０は、ＲＡＭ４０に格納されたＹＵＶ形式の画像データにＪＰＥＧ圧縮方式に基づいた圧縮処理を施し、得られた圧縮画像データは再びＲＡＭ４０に格納される。
【００４６】
圧縮画像データがＲＡＭ４０に格納されると、圧縮画像データと当該圧縮画像データに関連するＥＸＩＦ（Exchangeable Image File Format）情報とがファイル形式でフラッシュメモリ３２に記録される。またＥＸＩＦ情報には、あわせて記録された圧縮画像データのファイル番号と当該圧縮画像データのカメラ設定とが属性情報として形成される。
【００４７】
したがって、水平２４０×垂直３２０の画素を有する圧縮画像データを含む画像ファイルがフラッシュメモリ３２に記録される。これによって、ＣＰＵ２０は、オートフォーカス処理によって被写体にピントを合わせた圧縮画像データをフラッシュメモリ３２に記録させる。
【００４８】
ここで、本実施例の携帯端末１０のセキュリティロック機能は、カメラ機能のオートフォーカス処理を用いて、或る画像のＡＦ候補領域を識別するための識別子のうち少なくとも１つをＡＦ設定識別子として記憶し、新たに撮影（取得）された画像のＡＦ候補領域を識別するための識別子のうち少なくとも１つをＡＦ取得識別子として特定する。具体的には、識別子記憶処理では、ＡＦ設定識別子記憶処理または設定識別子記憶処理によってセキュリティロック機能の設定識別子を記憶する。設定識別子記憶処理では、数字およびアルファベットの組み合わせによって構成される文字列を設定識別子としてフラッシュメモリ３２に記憶させる。
【００４９】
ＡＦ設定識別子記憶処理では、カメラ機能のオートフォーカス処理によって求めた、画像データのオートフォーカス処理を行う優先順位に基づいて、ＡＦ候補領域Ｆの識別子（Ｆ１〜Ｆ９）をＡＦ設定識別子としてフラッシュメモリ３２のＡＦ設定識別子記憶領域３２ａに記憶させる。また、各ＡＦ候補領域Ｆのそれぞれに対応するフォーカス評価値の最大値の優先順位を求めることで、撮像された画像に写る被写体の位置、すなわち、画像の構図を求めることができる。つまり、ＡＦ設定識別子記憶処理では、画像データの構図をフラッシュメモリ３２のＡＦ設定識別子記憶領域３２ａに記憶させるとみなすことができる。
【００５０】
また、画像データの構図は、画像データの構図を決めた使用者のみが知る情報となる。そのため、画像データの構図をパスワードと設定すると、当該パスワードは、秘密性が高くなる。
【００５１】
図３，図４および図５を参照して、ＡＦ設定識別子記憶処理について説明する。図３の各ＡＦ候補領域Ｆと図４の各ＡＦ候補領域Ｆとを対応させると、図４のオブジェクトＯｂ１の被写体は、ＡＦ候補領域Ｆ４，ＡＦ候補領域Ｆ５およびＡＦ候補領域Ｆ８に捉えられ、図４のオブジェクトＯｂ２の被写体は、ＡＦ候補領域Ｆ１およびＡＦ候補領域Ｆ２に捉えられる。そして、ＣＰＵ２０は、ＡＦボタンが操作されると、オートフォーカス処理を行う優先順位を求めることが出来る。
【００５２】
ここで、オートフォーカス処理を行う優先順位が設定されたＡＦ候補領域Ｆは、ＡＦ候補領域Ｆ１，ＡＦ候補領域Ｆ５およびＡＦ候補領域Ｆ８となる。さらに、ＡＦ候補領域Ｆ５は、フォーカス評価値の最大値が各ＡＦ候補領域Ｆの中で一番大きいため、オートフォーカス処理を行う優先順位が１位と設定され、ＡＦ候補領域Ｆ１は、フォーカス評価値の最大値がＡＦ候補領域Ｆ５に次いで大きいため、オートフォーカス処理を行う優先順位が２位と設定され、ＡＦ候補領域Ｆ８は、フォーカス評価値の最大値がＡＦ候補領域Ｆ１に次いで大きいため、オートフォーカス処理を行う優先順位が３位と設定される。そして、ＣＰＵ２０は、優先順位が設定されているＡＦ候補領域Ｆのうち、上位３位までのＡＦ候補領域Ｆの識別子を優先順位に従ってＡＦ設定識別子としてフラッシュメモリ３２のＡＦ設定識別子記憶領域３２ａに記憶する。
【００５３】
具体的には、フラッシュメモリ３２のＡＦ設定識別子記憶領域３２ａのアドレスおよび記憶されたＡＦ設定識別子を図５に示す。ＣＰＵ２０は、優先順位１位と対応するアドレス「００００」にＡＦ設定識別子としてＦ５を記憶し、優先順位２位と対応するアドレス「０００１」にＡＦ設定識別子としてＦ１を記憶し、優先順位３位と対応するアドレス「００１０」にＡＦ設定識別子としてＦ８を記憶する。
【００５４】
次にセキュリティロック処理では、ＣＰＵ２０は、携帯端末１０が有する一部の機能を制限したり、携帯端末１０が有する一部の機能の制限を解除したりする。さらに、携帯端末１０の一部の機能の制限を解除するために、使用者に設定識別子の確認を求める識別子確認処理を行う。
【００５５】
図３，図４，図５，図６，図７，図８（Ａ）および図８（Ｂ）を参照して、識別子確認処理を説明する。識別子確認処理では、ＣＰＵ２０は、カメラ機能を実行し、披写界の光学像を画像データに変換する。ここで、ＣＰＵ２０は、ＡＦボタンが操作されると、新たに撮像された画像データの各ＡＦ候補領域Ｆのそれぞれに対応するオートフォーカス処理を行う優先順位を演算する。そして、ＣＰＵ２０は、上位３位までのＡＦ候補領域Ｆの識別子を優先順位に従ってＡＦ取得識別子として特定し、特定されたＡＦ取得識別子をフラッシュメモリ３２のＡＦ設定識別子記憶領域３２ａに記憶されたＡＦ設定識別子と照合する。つまり、ラッシュメモリ３２のＡＦ設定識別子記憶領域３２ａに記憶されたＡＦ候補領域の識別子およびそれぞれに対応する優先順位と、新たな画像データに対応するＡＦ候補領域の識別子およびそれぞれに対応する優先順位とを照合する。
【００５６】
ここで、図５を参照して、新たな画像データに対応するＡＦ候補領域の識別子およびそれぞれに対応する優先順位が１位となるＡＦ候補領域の識別子は、ＡＦ設定識別子記憶領域３２ａのアドレス「００００」に記憶されるＡＦ設定識別子と照合される。また、新たな画像データに対応するＡＦ候補領域の識別子およびそれぞれに対応する優先順位が２位となるＡＦ候補領域の識別子は、ＡＦ設定識別子記憶領域３２ａのアドレス「０００１」に記憶されるＡＦ設定識別子と照合される。そして、新たな画像データに対応するＡＦ候補領域の識別子およびそれぞれに対応する優先順位が３位となるＡＦ候補領域の識別子は、ＡＦパスワード記憶領域３２ａのアドレス「００１０」に記憶されるＡＦ設定識別子と照合される。ＣＰＵ２０は、照合結果が一致する場合に、携帯端末１０の一部の機能の制限を解除する。
【００５７】
ここで、図４に示す画像データの構図に基づいてＡＦ設定識別子を記憶する場合に、識別子確認処理では、新たな画像データが図４と同じ画像データの構図であれば、ＡＦ設定識別子を記憶したときの画像データの構図と、新たな画像データの構図とが同一であると判定する。
【００５８】
また、図６を参照して、図４に示す画像データの構図に基づいてＡＦ設定識別子を記憶する場合に、識別子確認処理では、図３の各ＡＦ候補領域Ｆと図６の各ＡＦ候補領域Ｆとを対応させると、図６のオブジェクトＯｂ３の被写体は、ＡＦ候補領域Ｆ４，ＡＦ候補領域Ｆ５およびＡＦ候補領域Ｆ８に捉えられ、図６のオブジェクトＯｂ４の被写体は、ＡＦ候補領域Ｆ１およびＡＦ候補領域Ｆ２に捉えられる。そして、ＡＦボタンが操作されると、オートフォーカス処理を行う優先順位を求める。
【００５９】
ここで、オートフォーカス処理を行う優先順位が設定されたＡＦ候補領域Ｆは、ＡＦ候補領域Ｆ１，ＡＦ候補領域Ｆ５およびＡＦ候補領域Ｆ８となる。さらに、ＡＦ候補領域Ｆ５は、フォーカス評価値の最大値が各ＡＦ候補領域Ｆの中で一番大きいため、優先順位が１位と設定され、ＡＦ候補領域Ｆ１は、フォーカス評価値の最大値がＡＦ候補領域Ｆ５に次いで大きいため、優先順位が２位と設定され、ＡＦ候補領域Ｆ８は、フォーカス評価値の最大値がＡＦ候補領域Ｆ１に次いで大きいため、優先順位が３位と設定される。よって、被写体であるオブジェクトが異なっていても、図４に示す画像と図５に示す画像とのオートフォーカス処理を行う優先順位が設定されたＡＦ候補領域の識別子およびそれぞれに対応した優先順位が一致するため、ＡＦ設定識別子を記憶したときの画像データの構図と、新たな画像データの構図とが同一であると判定する。つまり、使用者は、身近に在る物を利用することで、ＡＦ設定識別子を記憶したときの画像データの構図を再現することができる。これによって、使用者は、様々な場所で、身近に在る物を利用することで、携帯端末１０の一部の機能の制限を容易に解除することができる。
【００６０】
また、図７を参照して、図４に示す画像データの構図に基づいてＡＦ設定識別子を記憶する場合に、識別子確認処理では、図３の各ＡＦ候補領域Ｆと図７の各ＡＦ候補領域Ｆとを対応させると、図７のオブジェクトＯｂ１の被写体は、ＡＦ候補領域Ｆ５，ＡＦ候補領域Ｆ６およびＡＦ候補領域Ｆ９に捉えられ、図７のオブジェクトＯｂ２の被写体は、ＡＦ候補領域Ｆ２およびＡＦ候補領域Ｆ３に捉えられる。そして、ＡＦボタンが操作されると、オートフォーカス処理を行う優先順位を求める。
【００６１】
ここで、オートフォーカス処理を行う優先順位が設定されたＡＦ候補領域Ｆは、ＡＦ候補領域Ｆ２，ＡＦ候補領域Ｆ６およびＡＦ候補領域Ｆ９となる。さらに、ＡＦ候補領域Ｆ６は、フォーカス評価値の最大値が各ＡＦ候補領域Ｆの中で一番大きいため、優先順位が１位と設定され、ＡＦ候補領域Ｆ２は、フォーカス評価値の最大値がＡＦ候補領域Ｆ６に次いで大きいため、優先順位が２位と設定され、ＡＦ候補領域Ｆ９は、フォーカス評価値の最大値がＡＦ候補領域Ｆ２に次いで大きいため、優先順位が３位と設定される。よって、被写体が同一であっても、ＡＦ候補領域Ｆの識別子およびそれぞれに対応する優先順位、すなわち、画像データの構図が異なるため、ＡＦ設定識別子を記憶したときの画像データの構図と、新たな画像データの構図とが同一ではないと判定する。つまり、使用者以外の人間が、ＡＦ設定識別子を記憶したときの画像データに写る被写体を知ったとしても、当該画像データの構図を知らなければ、携帯端末１０の一部の機能の制限を解除することができない。
【００６２】
図８（Ａ）に示す画像データの構図に基づいてＡＦ設定識別子を記憶する場合に、図８（Ａ）を参照して、図３の各ＡＦ候補領域Ｆと図８（Ａ）の各ＡＦ候補領域Ｆとを対応させると、図８（Ａ）のボールＢａの被写体は、ＡＦ候補領域Ｆ２，ＡＦ候補領域Ｆ４，ＡＦ候補領域Ｆ５，ＡＦ候補領域Ｆ６およびＡＦ候補領域Ｆ８に捉えられる。そして、ＣＰＵ２０は、ＡＦボタンが操作されると、オートフォーカス処理を行う優先順位を求める。ここで、オートフォーカス処理を行う優先順位が設定されたＡＦ候補領域Ｆは、ＡＦ候補領域Ｆ２，ＡＦ候補領域Ｆ５およびＡＦ候補領域Ｆ８となる。さらに、ＡＦ候補領域Ｆ５は、フォーカス評価値の最大値が各ＡＦ候補領域Ｆの中で一番大きいため、優先順位が１位と設定され、ＡＦ候補領域Ｆ２は、フォーカス評価値の最大値がＡＦ候補領域Ｆ５に次いで大きいため、優先順位が２位と設定され、ＡＦ候補領域Ｆ８は、フォーカス評価値の最大値がＡＦ候補領域Ｆ２に次いで大きいため、優先順位が３位と設定される。
【００６３】
そして、図８（Ｂ）を参照して、識別子確認処理では、図３の各ＡＦ候補領域Ｆと図７（Ｂ）の各ＡＦ候補領域Ｆとを対応させると、図８（Ｂ）の時計Ｃｋの被写体は、ＡＦ候補領域Ｆ２，ＡＦ候補領域Ｆ４，ＡＦ候補領域Ｆ５，ＡＦ候補領域Ｆ６およびＡＦ候補領域Ｆ８に捉えられ、図８（Ｂ）の腕Ａｒｍの被写体は、ＡＦ候補領域Ｆ１〜ＡＦ候補領域Ｆ９の全てに捉えられる。そして、ＡＦボタンが操作されると、オートフォーカス処理を行う優先順位を求める。
【００６４】
ここで、オートフォーカス処理を行う優先順位が設定されたＡＦ候補領域Ｆは、ＡＦ候補領域Ｆ２，ＡＦ候補領域Ｆ５およびＡＦ候補領域Ｆ８となる。さらに、ＡＦ候補領域Ｆ５は、フォーカス評価値の最大値が各ＡＦ候補領域Ｆの中で一番大きいため、優先順位が１位と設定され、ＡＦ候補領域Ｆ２は、フォーカス評価値の最大値がＡＦ候補領域Ｆ５に次いで大きいため、優先順位が２位と設定され、ＡＦ候補領域Ｆ８は、フォーカス評価値の最大値がＡＦ候補領域Ｆ２に次いで大きいため、優先順位が３位と設定される。よって、図８（Ａ）に示す画像データの構図と図８（Ｂ）に示す画像データの構図とは異なっているが、オートフォーカス処理を行う優先順位が設定されたＡＦ候補領域の識別子およびそれぞれに対応した優先順位が一致するため、ＡＦ設定識別子を記憶したときの画像データの構図と、新たな画像データの構図とが同一であると判定する。つまり、ＡＦ設定識別子として記憶する優先順位が上位３位までのため、使用者は、ＡＦパスワードを設定したときの画像データの構図と、新たな画像データの構図とを似せることで、ＡＦ設定識別子とＡＦ取得識別子との照合結果を一致させることができる。
【００６５】
ＣＰＵ２０は、図９および図１０に示す識別子記憶処理タスクと，図１１および図１２に示すセキュリティロック処理タスクとを含む複数のタスクを並列的に実行する。なお、これらのタスクに対応する制御プログラムおよびＬＣＤモニタ３６に表示される画像はフラッシュメモリ３２に記憶される。
【００６６】
最初に、識別子記憶処理タスクについて説明する。図９を参照して、ステップＳ１では、ＡＦ設定識別子の記憶か否かを判定する。すなわち、ＡＦ設定識別子の記憶が行われるか、文字列パスワードの設定が行われるかを判定する。また、使用者は、ＡＦ設定識別子の記憶と設定識別子の記憶との選択をキー入力装置４２によって行う。ステップＳ１でＹＥＳであれば、すなわち、使用者がＡＦパスワードの設定を選べばステップＳ３でＡＦ設定識別子記憶処理を行う。ここで、ＡＦ設定識別子記憶処理タスクの詳細な説明は後述する。
【００６７】
ステップＳ１でＮＯであれば、すなわち、使用者が設定識別子の記憶を選べばＳ５で設定識別子処理を行う。たとえば、設定識別子としては文字列などでよい。本実施例では、キー入力装置４６によって数字およびアルファベットの組み合わせを入力され、入力された文字列は、設定識別子としてフラッシュメモリ３２に記憶される。ここで、ステップＳ３またはステップＳ５の処理が終わると、識別子記憶処理は終了する。
【００６８】
ステップＳ３のＡＦ設定識別子記憶処理は、図１０に示すサブルーチンに従う。図１０を参照して、ステップＳ７では、カメラ機能を実行する。すなわち、オートフォーカスによる画像データの構図に基づいてＡＦ設定識別子を記憶するため、ＣＰＵ２０はカメラ機能を実行する。
【００６９】
続いてステップＳ９では、ＡＦボタンが操作されたか否かを判定する。ステップＳ９でＹＥＳであれば、たとえば、使用者がＡＦパスワードとして記憶する画像データの構図を決めてＡＦボタンを操作すれば、ステップＳ１１に進む。また、ステップＳ９でＮＯであれば、ＡＦボタンが操作されるまで、繰り返しステップＳ９の処理を行う。
【００７０】
ステップＳ１１では、各ＡＦ候補領域Ｆでフォーカス評価値の最大値を算出する。すなわち、ＣＰＵ２０は、各ＡＦ候補領域Ｆのそれぞれに対応するオートフォーカス処理を行う優先順位を決めるために、フォーカス評価値の最大値を算出する。
【００７１】
続いてステップＳ１３では、閾値以上のＡＦ候補領域Ｆが３箇所以上在るか否かを判定する。すなわち、ステップＳ１１の処理で算出したフォーカス評価値の最大値が閾値以上であるＡＦ候補領域Ｆが３箇所以上有るか否かを判定する。また、先述したとおり、閾値未満であればオートフォーカス処理を行う優先順位をつけない。ステップＳ１３でＹＥＳであれば、ステップＳ１５に進む。
【００７２】
ステップＳ１５では、優先順位に基づいて、上位３位までのＡＦ候補領域Ｆの識別子をＡＦ設定識別子として記憶する。すなわち、ステップＳ９の処理で使用者が決めた画像データの構図に基づいてＡＦ設定識別子を記憶する。また、優先順位が設定されているＡＦ候補領域Ｆのうち、上位３位までのＡＦ候補領域Ｆの識別子およびそれぞれに対応する優先順位をフラッシュメモリ３２のＡＦ設定識別子記憶領域３２ａに記憶する。ここで、ステップＳ１５の処理が終了すると上位層のルーチンに復帰する。
【００７３】
ここで、ステップＳ１３でＮＯであれば、すなわち、ステップＳ１１で算出したフォーカス評価値の最大値が閾値以上であるＡＦ候補領域Ｆが３箇所未満であったため、ステップＳ１７に進む。
【００７４】
ステップＳ１７では、使用者にＡＦボタンの再操作を要求する画像をＬＣＤモニタ３６に表示する。すなわち、使用者が決めた画像データの構図ではＡＦパスワードとして記憶することが出来ないため、ＡＦボタンの再操作を要求する。そして、ステップＳ１７の処理が終了すれば、ステップＳ９に戻る。
【００７５】
次に、セキュリティロック処理タスクについて説明する。図１１を参照して、ステップＳ１９では、機能の制限をしているか否かを判定する。すなわち、携帯端末１０の一部の機能が制限されているか否かを判定する。ステップＳ１９でＮＯであれば、すなわち、セキュリティロック機能によって携帯端末１０の一部の機能の制限がされていなければ、ステップＳ２１に進み、機能を制限する。これによって、携帯端末１０の複数の機能が制限されるため、携帯端末１０は、使用者とは別の人間によって勝手に携帯端末１０を操作されないようになる。ここで、ステップＳ２１の処理が終了すると、セキュリティロック処理を終了する。
【００７６】
ここで、ステップＳ１９でＹＥＳであれば、すなわち、携帯端末１０の機能が制限されていれば、ステップＳ２３に進み、識別子確認処理を行う。すなわち、ＣＰＵ２２は、携帯端末１０が有する一部の機能の制限を解除するために、ＡＦ設定識別子記憶処理（図９参照）で設定したＡＦ設定識別子を確認する処理を行う。また、識別子確認処理の詳細な説明は後述する。
【００７７】
続いてステップＳ２５では、機能の制限を解除する。すなわち、ステップＳ２３のパスワード確認処理によってＡＦ設定識別子とＡＦ取得識別子との照合が一致すると、携帯端末１０が有する一部の機能の制限を解除する。ここで、ステップＳ２５の処理が終了すると、セキュリティロック処理タスクを終了する。
【００７８】
ステップＳ２３の識別子確認処理は、図１２に示すサブルーチンに従う。図１２を参照して、ステップＳ２７では、ＡＦ設定識別子が記憶済みか否かを判定する。すなわち、フラッシュメモリ３２のＡＦ設定識別子記憶領域３２ａにＡＦ設定識別子が記憶されているか否かを判定する。ステップＳ２７でＮＯであれば、すなわち、ＡＦ設定識別子がフラッシュメモリ３２のＡＦ設定識別子記憶領域３２ａに記憶されていなければ、ステップＳ２９に進む。ステップＳ２９では、ＬＣＤモニタ３６にＡＦ設定識別子を記憶するよう促す画像を表示させる。
【００７９】
さらに、ステップＳ２９の処理が終了すれば、ステップＳ５３に進み、ＬＣＤモニタ３６に通常状態の画像を表示させ、識別子確認処理およびセキュリティロック処理を終了する。ここで、通常状態とは、携帯端末１０の通話機能やカメラ機能などが実行されておらず、使用者がキー入力装置４２などによって携帯端末１０の操作を行っていない状態のことをいう。
【００８０】
ステップＳ２７でＹＥＳであれば、すなわち、フラッシュメモリ３２のＡＦ設定識別子記憶領域３２ａにＡＦ設定識別子が記憶済みであれば、ステップＳ３１に進む。ステップＳ３１では、変数ｅｒｒを初期化する。変数ｅｒｒは、識別子確認処理におけるＡＦ設定識別子とＡＦ取得識別子との照合を失敗した回数をカウントする変数である。したがって、識別子確認処理が行われるたびに、変数ｅｒｒを初期化する必要があるため、変数ｅｒｒには、「０」が設定される。
【００８１】
続いてステップＳ３３では、カメラ機能を実行する。すなわち、ＡＦ設定識別子とＡＦ取得識別子との照合を行うために、ＣＰＵ２０はカメラ機能を実行する。さらに続いてステップＳ３５では、ＡＦボタンが操作されたか否かを判定する。ステップＳ３５でＹＥＳであれば、ステップＳ３７に進む。たとえば、使用者は、ステップ３３の処理で得た新たな画像データの構図と、フラッシュメモリ３２のＡＦ設定識別子記憶領域３２ａに記憶されるＡＦ設定識別子として記憶した画像データの構図とを同一であると判断したときに、ＡＦボタンを操作すればよい。
【００８２】
ステップＳ３７では、各ＡＦ候補領域Ｆのフォーカス評価値の最大値を算出する。すなわち、ＣＰＵ２０は、ステップ３３の処理で得た新たな画像データのＡＦ候補領域Ｆのそれぞれに対応するオートフォーカス処理を行う優先順位を決めるために、各ＡＦ候補領域Ｆのフォーカス評価値を算出する。
【００８３】
続いてステップＳ３９では、閾値以上のＡＦ候補領域Ｆが３箇所以上在るか否かを判定する。すなわち、ステップＳ３７の処理で算出したフォーカス評価値の最大値が閾値以上であるＡＦ候補領域Ｆが３箇所以上在るか否かを判定する。ステップＳ３９でＹＥＳであれば、ステップＳ４１に進む。
【００８４】
ステップＳ４１では、記憶済みのＡＦ設定識別子と一致するか否かを判定する。すなわち、フラッシュメモリ３２のＡＦ設定識別子記憶領域３２ａに記憶されたＡＦ候補領域Ｆの識別子およびそれぞれに対応する優先順位と、新たな画像データに対応するＡＦ候補領域Ｆの識別子およびそれぞれに対応する優先順位とが一致するか否かを判定する。ステップＳ４１でＹＥＳであれば、上位層のルーチンに復帰する。
【００８５】
ここで、ステップＳ４１でＮＯであれば、すなわち、フラッシュメモリ３２のＡＦ設定識別子記憶領域３２ａに記憶されたＡＦ候補領域Ｆの識別子およびそれぞれに対応する優先順位と、新たな画像データに対応するＡＦ候補領域Ｆの識別子およびそれぞれに対応する優先順位とが一致していなければ、ステップＳ４９に進む。ステップＳ４９では、変数ｅｒｒをインクリメントする。すなわち、識別子確認処理におけるＡＦ設定識別子とＡＦ取得識別子との照合を失敗した回数をカウントする。たとえば、１回目の失敗であれば、変数ｅｒｒに１が設定され、２回目の失敗であれば、変数ｅｒｒに２が設定される。
【００８６】
続いて、ステップＳ５１では、変数ｅｒｒが３であるか否かを判定する。すなわち、識別子確認処理におけるＡＦ設定識別子とＡＦ取得識別子との照合を失敗した回数が３回であるか否かを判定する。ステップＳ５１でＹＥＳであれば、すなわち、識別子確認処理におけるＡＦ設定識別子とＡＦ取得識別子との照合を３回失敗すれば、ステップＳ５３に進む。ステップＳ５３では、先述したとおり、ＬＣＤモニタ３６に通常状態の画像を表示させ、セキュリティロック処理タスクを終了する。ここで、ステップＳ５１でＮＯであれば、すなわち、識別子確認処理におけるＡＦ設定識別子とＡＦ取得識別子との照合の失敗が３回未満であれば、ステップＳ３５に戻る。
【００８７】
ここで、ステップＳ３９でＮＯであれば、すなわち、ステップＳ３７で算出した各ＡＦ候補領域Ｆのフォーカスポイントが閾値以下であるため、ステップＳ４３に進む。
【００８８】
ステップＳ４３では、使用者にＡＦボタンの再操作を要求する画像をＬＣＤモニタ３６に表示する。すなわち、使用者が決めた画像データの構図では、ＡＦパスワードと一致するか否かの判定を行うことが出来ないため、ＡＦボタンの再操作を要求する。さらに、ステップＳ４３の処理が終了すれば、ステップＳ４９に進み、ステップＳ４１でＮＯであった場合と同様にして、変数ｅｒｒをインクリメントする。
【００８９】
ここで、ステップＳ３５でＮＯであれば、すなわち、ＡＦボタンが操作されていなければ、ステップＳ４５に進む。ステップＳ４５では、文字列が入力されたか否かを判定する。すなわち、使用者が、ＡＦ設定識別子の確認をＡＦ設定識別子ではなく、文字列などによる設定識別子によって確認するために、キー入力装置４２などの操作を行ったか否かを判定する。ステップＳ４５でＮＯであれば、すなわち、文字列が入力されなければ、ステップＳ３５に戻る。
【００９０】
ここで、ステップＳ４５でＹＥＳであれば、すなわち、文字列が入力されれば、ステップＳ４７に進む。ステップＳ４７では、記憶済みの設定識別子と一致するか否かを判定する。すなわち、文字列パスワードとしてフラッシュメモリ３２に記憶されている文字列と一致するか否かを判定する。ステップＳ４７でＹＥＳであれば、上位層のルーチンに復帰する。また、ステップＳ４７でＮＯであれば、ステップＳ４９に進み、ステップＳ４１でＮＯであった場合と同様にして、変数ｅｒｒをインクリメントする。
【００９１】
以上の説明から分かるように、携帯端末１０は、９つのＡＦ候補領域に分割されて撮像された画像に対してＡＦ候補領域Ｆ１〜ＡＦ候補領域Ｆ９にそれぞれ対応する９つのフォーカス評価値の最大値をステップＳ１１で演算する。フラッシュメモリ３２のＡＦ設定識別子記憶領域３２ａは、９つのＡＦ候補領域Ｆをそれぞれ識別するＦ１〜Ｆ９のうち上位３位までのＡＦ候補領域Ｆの識別子およびそれぞれに対応する優先順位をＡＦ設定識別子として、ステップＳ１３およびステップＳ１５の処理で記憶する。ステップＳ３９の処理では、新たに撮像された画像に対して、ステップＳ３７の処理で演算した新たなフォーカス評価値の最大値に基づいて、９つのＡＦ候補領域Ｆをそれぞれ識別するＦ１〜Ｆ９のうち上位３位までのＡＦ候補領域Ｆの識別子およびそれぞれに対応する優先順位を特定する。
【００９２】
ステップＳ４１の処理では、ステップＳ３９で特定したＡＦ取得識別子をＡＦ設定識別子と照合する。ステップＳ２５の処理では、ステップＳ４１の処理による照合結果がＹＥＳである場合に、セキュリティロック機能による携帯端末１０が有する一部の機能の制限を解除する。これによって、セキュリティロック機能は、秘密性が高い情報である画像データの構図をＡＦ設定識別子とすることができ、識別子確認処理では、携帯端末１０の一部の機能の制限の解除を容易にすることができる。
【００９３】
なお、本実施例は、携帯通信端末１０の通信方式には、ＣＤＭＡ方式だけに限らず、ＰＨＳ方式，ＴＤＭＡ方式，Ｗ‐ＣＤＭＡ方式でもよいことは言うまでもない。また、オートフォーカス処理では、画像を９つの領域に分割しているが、８以下の領域であってもよいし、１０以上の領域であってもよい。
【００９４】
また、オートフォーカス処理の方式には、画像データから処理を行うパッシブ方式を用いたが、被写体に赤外線や超音波などを照射し、その反射波が戻るまでの時間や照射角度により距離を検出するアクティブ方式を用いてもよい。また、セキュリティロック機能によって制限される機能は、使用者によって任意に決められるようになっていてもよい。また、ＡＦボタンは、画像撮影ボタンと同じであってもよい。
【００９５】
また、ステップＳ１５の処理で、優先順位に基づいてオートフォーカス処理を行う優先順位が上位３位までのＡＦ候補領域Ｆの識別子を記憶しているが、優先順位に関係なく、上位３位までのＡＦ候補領域Ｆの識別子を記憶してもよい。つまり、ステップＳ４１の処理では、上位３位までのＡＦ候補領域Ｆの識別子の組み合わせが一致するか否かを判定するようにしても良い。さらに、ステップＳ１５の処理では、上位３位までに限定せず、上位２位以下であってもよいし、上位４位以上であってもよい。また、ステップＳ５１では、識別子確認処理におけるＡＦ設定識別子とＡＦ取得識別子との照合の失敗可能回数を３回としているが、２回以下であってもよいし、４回以上であってもよい。
【図面の簡単な説明】
【００９６】
【図１】図１はこの発明の一実施例を示すブロック図である。
【図２】図２は図１実施例に適用されるカメラ処理回路構成の一例を示すブロック      図である。
【図３】図３は図１実施例に適用される、オートフォーカス処理における撮像面の      ＡＦ候補領域Ｆの一例を示す図解図である。
【図４】図４は図１実施例に適用される、或る画像データにおけるＡＦ候補領域Ｆ      の一例を示す図解図である。
【図５】図５は図１に適用される、ＡＦ設定識別子記憶領域のメモリマップの一例      を示す図解図である。
【図６】図６は図１実施例に適用される、他の或る画像データにおけるＡＦ候補領      域Ｆの一例を示す図解図である。
【図７】図７は図１実施例に適用される、その他の或る画像データにおけるＡＦ候      補領域Ｆの一例を示す図解図である。
【図８】図８（Ａ）は図１実施例に適用される、さらにその他の或る画像データに      おけるＡＦ候補領域Ｆの一例を示す図解図であり、図８（Ｂ）は図１実施例に適用      される、他の或る画像データにおけるＡＦ候補領域Ｆの一例を示す図解図である。
【図９】図９は図１実施例に適用される識別子記憶処理動作を示すフロー図である。
【図１０】図１０は図１実施例に適用されるＡＦ設定識別子記憶処理動作を示すフ      ロー図である。
【図１１】図１１は図１実施例に適用されるセキュリティロック処理動作を示すフ      ロー図である。
【図１２】図１２は図１実施例に適用される識別子確認処理動作を示すフロー図で      ある。
【符号の説明】
【００９７】
１０    …  携帯端末
２０    …  ＣＰＵ
２２    …  フォーカスレンズ
２４    …  イメージセンサ
２６    …  カメラ処理回路
２８    …  レンズドライバ
３０    …  イメージセンサドライバ
３２    …  フラッシュメモリ
３２ａ  …  ＡＦ設定識別子記憶領域
３６    …  ＬＣＤモニタ
４２    …  キー入力装置
４４    …  ＣＤＳ／ＡＧＣ／ＡＤ回路
４６    …  信号処理回路
５０    …  フォーカス評価回路
【図１】
2009059188.tif 000003
【図２】
2009059188.tif 000004
【図３】
2009059188.tif 000005
【図４】
2009059188.tif 000006
【図５】
2009059188.tif 000007
【図６】
2009059188.tif 000008
【図７】
2009059188.tif 000009
【図８】
2009059188.tif 000010
【図９】
2009059188.tif 000011
【図１０】
2009059188.tif 000012
【図１１】
2009059188.tif 000013
【図１２】
2009059188.tif 000014